【事件の表示】
　特願２０１１−２８４４３１「発光装置」拒絶査定不服審判事件〔平成２５年　７月　８日出願公開，特開２０１３−１３５０８２〕について，次のとおり審決する。
【結　論】
　本件審判の請求は，成り立たない。
【理　由】
１　手続の経緯
　本願は，平成２３年１２月２６日の出願であって，平成２６年４月１０日付けで拒絶理由が通知され，平成２６年６月１０日に手続補正がされ，同年８月１日付けで拒絶査定がされ，これに対して同年１１月１０日に審判請求がされるとともに同時に手続補正がされ，その後，平成２７年１１月２６日付けで当審より拒絶理由が通知され，平成２８年１月２８日に手続補正がされるとともに意見書が提出されたものである。
２　本願発明
　本願発明は，平成２８年１月２８日にされた手続補正により補正された特許請求の範囲の請求項１〜３に記載されている事項により特定されるとおりのものであり，そのうち請求項１に係る発明は，特許請求の範囲の請求項１に記載されている事項により特定される以下のとおりのもの（以下「本願発明」という。）である。
「【請求項１】
　第１のＬＥＤチップとその表面に形成された，厚さを制御することが難しい第１の蛍光体層を含み，第１の光を発する第１の発光素子と，第２のＬＥＤチップとその表面に形成された，厚さを制御することが難しい第２の蛍光体層を含み，第２の光を発する第２の発光素子とを，共通のパッケージに搭載した発光装置であって，
　前記第１及び第２の発光素子は，前記第１及び第２の光の色度座標のｘ値と，前記第１及び第２の光の色度座標のｘ値の平均値との差が０．０１２５以上であることにより，前記共通のパッケージに搭載されることによって，前記共通のパッケージに搭載されないことによって生じる第１及び第２の光の色目の違いを防ぎ，かつ，前記第１及び第２の光の色度座標のｘ値と，前記第１及び第２の光の色度座標のｘ値の平均値との差が０．１０００以下であることにより，前記差が０．１０００を超えたときに生じる色むらを防ぐ構成であり，
　前記第１の光の色度座標のｘ値が，前記第２の光の色度座標のｘ値より大としたとき，当該構成から，前記第１の光の色度座標のｘ値が０．３６以上である前記第１の発光素子と，前記第２の光の色度座標のｘ値が０．２６以下である前記第２の発光素子とを前記共通のパッケージに搭載する構成を除く，
　発光装置。」
３　刊行物に記載された発明
（１）国際公開第２００９／１０１７１８号
　当審において通知した拒絶理由に引用され，本願の出願前に日本国内又は外国において，電気通信回線を通じて公衆に利用可能となった，国際公開第２００９／１０１７１８号（以下「引用例」という。）には，図２，９〜１１，１４及び１５とともに以下の記載がある（下線は当審で付加。以下同様。）。
「【０００１】
　本発明は，白色度の高い発光の取得を図った白色発光ダイオード，白色発光装置及びライン状照明装置に関する。
【背景技術】
　【０００２】
　青色ＬＥＤチップと，この青色ＬＥＤチップを覆い，青色光等を黄色に変換できるＹＡＧ系蛍光物質からなる蛍光体層とを備えた白色発光ダイオードが提案されている。この白色発光ダイオードは，薄型化及び軽量化の点で優れている。
　【０００３】
　図１４は従来の白色発光ダイオード１０１の構造の一例である。以下，この白色発光ダイオード１０１の発光動作について説明する。配線１０５より給電した青色ＬＥＤチップ１０２から青色光が発光し，この青色光が，透明樹脂中にＹＡＧ系蛍光粒子が分散して構成された蛍光体層１０３を通過する。その際に，この青色光の一部はＹＡＧ系蛍光粒子に衝突し，波長変換される。この結果，黄色光が発光される。また，青色光の他の一部は，ＹＡＧ系蛍光粒子に衝突せずに，そのまま発光される。従って，これらの黄色光及び青色光が混色されて発光されるので，白色光が発光される。このようにして，白色発光ダイオード１０１は，白色光源として機能する。なお，白色発光ダイオード１０１はプリント配線板１０６に実装されており，発光動作が電気的制御される。また，青色光ＬＥＤチップ１０２及び蛍光体層１０３はパッケージ１０４に収納されている。
　【０００４】しかし，このような白色発光ダイオード１０１においては，青色ＬＥＤチップ１０１の出力及び波長にばらつきが生じることが知られている。また，
蛍光体層１０３についても，厚さのばらつき，蛍光粒子の分散の不均一性，蛍光粒子による励起波長のばらつき等が生じることがある
　【０００５】
　白色発光ダイオードの良否の選別は，選別機により行われることがあるが，選別機を用いても適切な選別を行うことができないことがある。そこで，特許文献１には，白色発光ダイオードの駆動に使用するパルス電流の平均電流値及び／又はデューティ比を変化させて，発光色を色度図上の白色点に合わせる技術が開示されている。
　【０００６】
　しかしながら，平均電流値及びデューティ比を調整しようとしても，その調整可能な範囲には限界がある。このため，白色純度が高い白色発光ダイオードを用いなければ，白色点に到達する制御を行うことはできない。つまり，この従来技術によって発光色を色度図上の白色点（Ｘ，Ｙ＝０．３３，０．３３）に合わせるためには，初期の選別時に色温度が「Ｘ＝０．３１５〜０．３４５，Ｙ＝０．２９５〜０．３６５」の範囲内にある白色発光ダイオードを選択する必要がある。このため，使用可能な白色発光ダイオードの範囲が狭い。」
「【００１１】
　本発明は，白色度が低い白色発光ダイオードを用いても高い白色度の発光を得ることが
できる白色発光ダイオード，白色発光装置及びライン状照明装置を提供することを目的と
する。」
「【００５９】
　（実施例３）実施例３では，
２つの青色ＬＥＤチップを一つのパッケージに実装し，その各青色ＬＥＤチップを覆うＹＡＧ蛍光体層の厚さを，青色ＬＥＤチップ毎に異ならせている
　【００６０】
上側が開口した凹型で底部にリードフレームからなる配線を内挿したパッケージ７２を樹脂で形成し，その底部のリードフレームからなるアノード配線７５上に第一の青色ＬＥＤチップ７３及び第二の青色ＬＥＤチップ７４を配置する。そして，これらのカソード端子及びアノード端子を，リードフレームからなるそれぞれのカソード配線７６及びアノード配線７５に，例えばワイヤボンド法により接続し，実装する（図９Ａ）
　【００６１】
次に，
透明の熱硬化性透明樹脂に所定量のＹＡＧ蛍光体の粒子を混合させ調合した蛍光体層用樹脂液を，青色ＬＥＤチップ７３及び７４の両方を覆うように塗布する。その後，蛍光体層用樹脂液の熱硬化を行うことにより，図９Ｂに示すように，第一の蛍光体層７８を形成する。その後，上記の蛍光体層用樹脂液と同じ蛍光体層用樹脂液を，青色ＬＥＤチップ７３の上側だけを更に覆うように，蛍光体層７８の表面に塗布する。その後，蛍光体層用樹脂液の熱硬化を行うことにより，第二の蛍光体層７９を形成する。その後，蛍光体層７８及び７９の上部に，蛍光体層用樹脂液に含まれているものと同一の熱硬化性透明樹脂を用いて封止体８０を形成する。このようにして，図９Ｂに示すように，白色発光ダイオード７１が作製される
　【００６２】
　・・・（中略）・・・
　【００６３】
　このようにして作製された白色発光ダイオード７１は，例えば図１０に示すように，プリント基板８２に実装して用いることができる。なお，発光ダイオード７１の駆動のためには，例えば実施例１の電流制御部３３を用いることができ，アノード配線７５のリード線ａと２本のカソード配線７６のリード線ｋ１，ｋ２とにそれぞれに接続される。この場合，白色発光ダイオード７１を備えた白色発光装置の電気回路構成は，図２における白色発光ダイオード１１，１２を青色ＬＥＤチップ７３，７４に置き換えたものと等価なものとなる。
　【００６４】
　このように作製された白色発光ダイオード７１における発光の白色度の調整は，例えば次のようにして行うことができる。まず，電流制御部３３を用いて，青色ＬＥＤチップ７３及び７４に流す電流値を２０ｍＡに設定し，実施例１と同様のＰＷＭ方式で両青色ＬＥＤチップ７３及び７４を駆動させる。その後，それぞれの青色ＬＥＤチップ７３及び７４の一周期当り点灯時間を調整し，白色発光ダイオード７１からの発光の波長分布の平均（混色）がほぼ白色点になるための各青色ＬＥＤチップ７３及び７４を駆動するデューティ比を決定する。
　【００６５】
　
この関係を図１１の色度図を用いて説明すると次のようになる。青色ＬＥＤチップ７３だけを２０ｍＡの電流で点灯させた場合の白色発光ダイオード７１から発光の混色は，実質的に曲線ＷＹ上に位置する色度点ＷＹ３として検出される。同様に，青色ＬＥＤチップ７４だけを２０ｍＡ電流で点灯させた場合の白色発光ダイオード７１からの発光の混色は，実質的に曲線ＷＢ上に位置する色度点ＷＢ３として検出される。これは，蛍光体層７８及び７９の厚さが適切に規定されているからである。なお，色度点ＷＹ３及びＷＢ３の色度図上の座標は，例えばそれぞれ（Ｃｘ＝０．３６以上，Ｃｙ＝０．３９以上），（Ｃｘ＝０．２６以下，Ｃｙ＝０．２５以下）である。従って，これらの色度座標は，図１５の選別許容色度エリアａ０，ｂ１，ｂ２，ｃ０の外側であってもよい
　【００６６】
　次に，青色ＬＥＤチップ７３及び７４の両方のＰＷＭ方式駆動におけるデューティ比をそれぞれ調整し，その際の白色発光ダイオード７１からの発光の混色の色度測定値がほぼ白度点（Ｃｘ＝０．３３，Ｃｙ＝０．３３）になる点灯時間を見出す。
　【００６７】
　以上のように，本実施例３の白色発光ダイオード７１は，２つの青色ＬＥＤチップ７３及び７４を搭載し，これらを覆うＹＡＧ蛍光体層７８及び７９の厚さが適切に規定されている。
そして，蛍光体層７８及び７９の両方に覆われた青色ＬＥＤチップ７３を点灯するデューティ比を制御することで，黄色みかかった白色発光の光量を制御することができる。また，蛍光体層７８のみに覆われた青色ＬＥＤチップ７４を点灯するデューティ比を制御することで，青色みかかった白色発光の光量を制御することができる
　【００６８】
　このように，本実施例３での白色発光ダイオード７１によれば，青色ＬＥＤチップが本来持っている発光波長のばらつき，及び
蛍光体層の形成特性に伴う黄色波長のばらつき等を特段に配慮せずとも，白色の発光を得ることができる
「請求の範囲
　・・・（中略）・・・
[6]　第一及び第二の青色発光ダイオードチップと，
　前記第一及び第二の青色発光ダイオードチップからの青色光の一部を黄色光に波長変換する波長変換層と，
　を有し，
　前記波長変換層は，
　前記第一の青色発光ダイオードチップからの青色光の一部を黄色光に波長変換して黄色みかかった白色を発光し，
　前記第二の青色発光ダイオードチップからの青色光の一部を黄色光に波長変換して青色みかかった白色を発光することを特徴とする白色発光ダイオード。
[7]　前記波長変換層は，
　前記第一及び前記第二の青色発光ダイオードチップを覆う第一の蛍光体層と，
　前記第一及び前記第二の青色発光ダイオードチップのうちで前記第二の青色発光ダイオードチップのみを覆う第二の蛍光体層と，
　を有することを特徴とする請求項６に記載の白色発光ダイオード。」
　図９Ｂ及び図１１は次のものである。
[図９Ｂ]
[図１１]
　ここで，上記段落【００５９】〜【００６１】の記載とともに図９Ｂを見ると，青色ＬＥＤチップ７３及び青色ＬＥＤチップ７４とともに，蛍光体層７８及び蛍光体層７９もパッケージ７２内に実装されていることがわかる。
　また，上記段落【００６５】の記載とともに図１１を見ると，色度点ＷＹ３の色度図上の座標のＣｘは０．４２であり，色度点ＷＢ３の色度図上の座標のＣｘは０．２２であることが読み取れる。
　また，上記段落【００６７】の記載によれば，青色ＬＥＤチップ７３の点灯により「黄色みかかった白色発光」が得られ，青色ＬＥＤチップ７４の点灯により「青色みかかった白色発光」が得られることは明らかである。
　以上の記載から，引用文献１には次の発明が記載されているものと認められる。（以下「引用発明」という。）
「２つの青色ＬＥＤチップ及び当該各青色ＬＥＤチップを覆うＹＡＧ蛍光体層を一つのパッケージに実装し，その各青色ＬＥＤチップを覆うＹＡＧ蛍光体層の厚さを，青色ＬＥＤチップ毎に異ならせている白色発光ダイオード７１であって，
　上側が開口した凹型で底部にリードフレームからなる配線を内挿したパッケージ７２の底部のリードフレームからなるアノード配線７５上に第一の青色ＬＥＤチップ７３及び第二の青色ＬＥＤチップ７４が配置され，これらのカソード端子及びアノード端子を，リードフレームからなるそれぞれのカソード配線７６及びアノード配線７５に，ワイヤボンド法により接続して実装され，
　青色ＬＥＤチップ７３及び７４の両方を覆うように第一の蛍光体層７８が形成され，青色ＬＥＤチップ７３の上側だけを更に覆うように，蛍光体層７８の表面に第二の蛍光体層７９が形成され，蛍光体層７８及び７９の上部に封止体８０を形成されているものであり，
　青色ＬＥＤチップ７３の点灯により黄色みかかった白色発光が得られ，青色ＬＥＤチップ７４の点灯により青色みかかった白色発光が得られるものであり，
　青色ＬＥＤチップ７３だけを２０ｍＡの電流で点灯させた場合の白色発光ダイオード７１から発光の混色は，色度点ＷＹ３（色度図上の座標のＣｘ＝０．４２）として検出され，青色ＬＥＤチップ７４だけを２０ｍＡ電流で点灯させた場合の白色発光ダイオード７１からの発光の混色は，色度点ＷＢ３（色度図上の座標のＣｘ＝０．２２）として検出されるものである，
白色発光ダイオード。」
４　対比
　本願発明と引用発明を対比する。
（１）引用発明は，「２つの青色ＬＥＤチップ及び当該各青色ＬＥＤチップを覆うＹＡＧ蛍光体層を一つのパッケージに実装し」た「白色発光ダイオード」であるところ，「上側が開口した凹型で底部にリードフレームからなる配線を内挿したパッケージ７２の底部のリードフレームからなるアノード配線７５上に第一の青色ＬＥＤチップ７３及び第二の青色ＬＥＤチップ７４が配置され」ており，また，「青色ＬＥＤチップ７３及び７４の両方を覆うように第一の蛍光体層７８が形成され，青色ＬＥＤチップ７３の上側だけを更に覆うように，蛍光体層７８の表面に第二の蛍光体層７９が形成され，蛍光体層７８及び７９の上部に封止体８０を形成されているもの」であり，さらに，「青色ＬＥＤチップ７３の点灯により黄色みかかった白色発光が得られ，青色ＬＥＤチップ７４の点灯により青色みかかった白色発光が得られるものであ」る。
　よって，引用発明の「第一の青色ＬＥＤチップ７３」とそれを覆う「第一の蛍光体層７８」及び「第二の蛍光体層７９」からなり，「黄色みかかった白色発光が得られ」るものと，本願発明の「第１のＬＥＤチップとその表面に形成された，厚さを制御することが難しい第１の蛍光体層を含み，第１の光を発する第１の発光素子」とは，「第１のＬＥＤチップとその表面に形成された第１の蛍光体層を含み，第１の光を発する第１の発光素子」である点で一致する。
　また，引用発明の「第二の青色ＬＥＤチップ７４」とそれを覆う「第一の蛍光体層７８」からなり，「青色みかかった白色発光が得られ」るものと，本願発明の「第２のＬＥＤチップとその表面に形成された，厚さを制御することが難しい第２の蛍光体層を含み，第２の光を発する第２の発光素子」とは，「第２のＬＥＤチップとその表面に形成された第２の蛍光体層を含み，第２の光を発する第２の発光素子」である点で一致する。
　そして，引用発明の「第一の青色ＬＥＤチップ７３」とそれを覆う「第一の蛍光体層７８」及び「第二の蛍光体層７９」からなり，「黄色みかかった白色発光が得られ」るもの，及び引用発明の「第二の青色ＬＥＤチップ７４」とそれを覆う「第一の蛍光体層７８」からなり，「青色みかかった白色発光が得られ」るものは，ともに，「パッケージ７２」に「実装」されている。
　そうすると，引用発明の前記各構成を合わせたものと，本願発明の「第１のＬＥＤチップとその表面に形成された，厚さを制御することが難しい第１の蛍光体層を含み，第１の光を発する第１の発光素子と，第２のＬＥＤチップとその表面に形成された，厚さを制御することが難しい第２の蛍光体層を含み，第２の光を発する第２の発光素子とを，共通のパッケージに搭載した発光装置」とは，「第１のＬＥＤチップとその表面に形成された第１の蛍光体層を含み，第１の光を発する第１の発光素子と，第２のＬＥＤチップとその表面に形成された第２の蛍光体層を含み，第２の光を発する第２の発光素子とを，共通のパッケージに搭載した発光装置」である点で一致する。
（２）引用発明においては，「第一の青色ＬＥＤチップ７３」とそれを覆う「第一の蛍光体層７８」及び「第二の蛍光体層７９」から得られる「黄色みかかった白色発光」は，「色度点ＷＹ３（色度図上の座標のＣｘ＝０．４２）として検出され」，また，「第二の青色ＬＥＤチップ７４」とそれを覆う「第一の蛍光体層７８」から得られる「青色みかかった白色発光」は，「色度点ＷＢ３（色度図上の座標のＣｘ＝０．２２）として検出され」るものであり，両者のＣｘの平均は０．３２であり，当該平均値からの各色度点の偏差はいずれも０．１０であることは明らかである。
　そうすると，引用発明に係る上記構成と，本願発明の「前記第１及び第２の発光素子は，前記第１及び第２の光の色度座標のｘ値と，前記第１及び第２の光の色度座標のｘ値の平均値との差が０．０１２５以上であることにより，前記共通のパッケージに搭載されることによって，前記共通のパッケージに搭載されないことによって生じる第１及び第２の光の色目の違いを防ぎ，かつ，前記第１及び第２の光の色度座標のｘ値と，前記第１及び第２の光の色度座標のｘ値の平均値との差が０．１０００以下であることにより，前記差が０．１０００を超えたときに生じる色むらを防ぐ構成であ」ることとは，「前記第１及び第２の発光素子は，前記第１及び第２の光の色度座標のｘ値と，前記第１及び第２の光の色度座標のｘ値の平均値との差が０．０１２５以上であり，かつ，前記第１及び第２の光の色度座標のｘ値と，前記第１及び第２の光の色度座標のｘ値の平均値との差が０．１０００以下であ」る点で一致する。
（３）引用発明の「白色発光ダイオード」は，本願発明の「発光装置」に相当する。
（４）よって，本願発明と引用発明とは以下の点で一致する。
「第１のＬＥＤチップとその表面に形成された第１の蛍光体層を含み，第１の光を発する第１の発光素子と，第２のＬＥＤチップとその表面に形成された第２の蛍光体層を含み，第２の光を発する第２の発光素子とを，共通のパッケージに搭載した発光装置であって，
　前記第１及び第２の発光素子は，前記第１及び第２の光の色度座標のｘ値と，前記第１及び第２の光の色度座標のｘ値の平均値との差が０．０１２５以上であり，かつ，前記第１及び第２の光の色度座標のｘ値と，前記第１及び第２の光の色度座標のｘ値の平均値との差が０．１０００以下である，
　発光装置。」
（５）一方，両者は以下の各点で相違する。
《相違点１》
　本願発明は，「厚さを制御することが難しい第１の蛍光体層」及び「厚さを制御することが難しい第２の蛍光体層」を備えるのに対して，引用発明は，「第１の蛍光体層」及び「第２の蛍光体層」に対応する構成は備えるものの，それぞれが「厚さを制御することが難しい」ものであることは明らかでない点。
《相違点２》
　本願発明は，「前記第１及び第２の光の色度座標のｘ値と，前記第１及び第２の光の色度座標のｘ値の平均値との差」について，「０．０１２５以上であることにより，前記共通のパッケージに搭載されることによって，前記共通のパッケージに搭載されないことによって生じる第１及び第２の光の色目の違いを防ぎ，」かつ「０．１０００を超えたときに生じる色むらを防ぐ構成」を備えるのに対して，引用発明は，「前記第１及び第２の発光素子は，前記第１及び第２の光の色度座標のｘ値と，前記第１及び第２の光の色度座標のｘ値の平均値との差」について，「０．０１２５以上であり，かつ，」「０．１０００以下である」構成は備えるものの，本願発明に係る上記構成を備えることは明らかでない点。
《相違点３》
　本願発明は，「前記第１の光の色度座標のｘ値が，前記第２の光の色度座標のｘ値より大としたとき，当該構成から，前記第１の光の色度座標のｘ値が０．３６以上である前記第１の発光素子と，前記第２の光の色度座標のｘ値が０．２６以下である前記第２の発光素子とを前記共通のパッケージに搭載する構成を除く」としており，当該除かれた範囲内のものは含まないのに対して，引用発明は，「第一の青色ＬＥＤチップ７３」とそれを覆う「第一の蛍光体層７８」及び「第二の蛍光体層７９」から得られる「黄色みかかった白色発光」は，「色度点ＷＹ３（色度図上の座標のＣｘ＝０．４２）として検出され」，また，「第二の青色ＬＥＤチップ７４」とそれを覆う「第一の蛍光体層７８」から得られる「青色みかかった白色発光」は，「色度点ＷＢ３（色度図上の座標のＣｘ＝０．２２）として検出され」るものであることから，本願発明の前記除かれた範囲内のものに該当する点。
５　検討
　上記相違点について検討する。
（１）相違点１について
　引用例には，「
蛍光体層１０３についても，厚さのばらつき，蛍光粒子の分散の不均一性，蛍光粒子による励起波長のばらつき等が生じることがある
特段に配慮せずとも
　よって，引用発明における「第一の蛍光体層７８」及び「第二の蛍光体層７９」はともに「厚さの制御が難しい」ものであって，引用発明は，相違点１に係る「厚さを制御することが難しい第１の蛍光体層」及び「厚さを制御することが難しい第２の蛍光体層」を備えるといえる。
　よって，相違点１は実質的な相違点ではない。
（２）相違点２について
　引用発明においては，「第一の青色ＬＥＤチップ７３」とそれを覆う「第一の蛍光体層７８」及び「第二の蛍光体層７９」から得られる「黄色みかかった白色発光」は，「色度点ＷＹ３（色度図上の座標のＣｘ＝０．４２）として検出され」，また，「第二の青色ＬＥＤチップ７４」とそれを覆う「第一の蛍光体層７８」から得られる「青色みかかった白色発光」は，「色度点ＷＢ３（色度図上の座標のＣｘ＝０．２２）として検出され」るものであり，両者のＣｘの平均は０．３２であり，当該平均値からの各色度点の偏差はいずれも０．１０である。当該各値は，本願発明の「前記第１及び第２の発光素子は，前記第１及び第２の光の色度座標のｘ値と，前記第１及び第２の光の色度座標のｘ値の平均値との差が０．０１２５以上であ」り，「かつ，前記第１及び第２の光の色度座標のｘ値と，前記第１及び第２の光の色度座標のｘ値の平均値との差が０．１０００以下である」との条件を満たすものである。
　そして，引用発明は，「第１のＬＥＤチップとその表面に形成された第１の蛍光体層を含み，第１の光を発する第１の発光素子と，第２のＬＥＤチップとその表面に形成された第２の蛍光体層を含み，第２の光を発する第２の発光素子とを，共通のパッケージに搭載した」ことに対応する構成を備えるから，上記条件を満たすことに伴い，引用発明は，相違点２に係る「０．０１２５以上であることにより，前記共通のパッケージに搭載されることによって，前記共通のパッケージに搭載されないことによって生じる第１及び第２の光の色目の違いを防ぎ，」かつ「０．１０００を超えたときに生じる色むらを防ぐ構成」を備えているものといえる。
　よって，相違点２は実質的な相違点ではない。
（３）相違点３について
　引用例には，引用発明に係る「色度点ＷＹ３」及び「色度点ＷＢ３」に関して，「
色度点ＷＹ３及びＷＢ３の色度図上の座標は，例えばそれぞれ
Ｃｘ＝０．３６以上
Ｃｘ＝０．２６以下
である
　また，引用例の「青色ＬＥＤチップ７３及び７４の両方のＰＷＭ方式駆動におけるデューティ比をそれぞれ調整し，その際の白色発光ダイオード７１からの発光の
混色の色度測定値がほぼ白度点（Ｃｘ＝０．３３，Ｃｙ＝０．３３）になる点灯時間を見出す
これらの制御により，白色発光ダイオード７１からの発光の混色を白度点Ｗにすることができる
　それゆえ，引用発明において，色度点ＷＹ３のｘ座標値をＣｘ＝０．３６を下回る程度とし，ＷＢ３の色度図上のｘ座標値をＣｘ＝０．２６を上回る程度の値とすることにより，本願発明の，「前記第１の光の色度座標のｘ値が，前記第２の光の色度座標のｘ値より大としたとき，当該構成から，前記第１の光の色度座標のｘ値が０．３６以上である前記第１の発光素子と，前記第２の光の色度座標のｘ値が０．２６以下である前記第２の発光素子とを前記共通のパッケージに搭載する構成を除く」とすることによって除外されていない範囲のものとすることは，当業者が適宜になし得たことである。
　そして，色度点ＷＹ３のｘ座標値，及びＷＢ３の色度図上のｘ座標値について，上記除外されていない範囲のものとすることによって，格別な作用効果が得られるとも認められない。
　よって，相違点３は当業者が適宜になし得たことである。
　（４）まとめ
　以上検討したとおり，本願発明は，引用発明に基づいて当業者が容易に発明をすることができたものであるから，特許法第２９条第２項の規定により特許を受けることができない。
６　むすび
　以上のとおりであるから，他の請求項について検討するまでもなく，本願は拒絶すべきものである。
　よって，結論のとおり審決する。